(57)【要約】      （修正有）【課題】動画の画質を向上させつつフリッカを抑制した液晶表示装置を提供する。【解決手段】複数の走査線と複数のデータ線とその交差部に配置された複数の画素電極と、画素電極と対向電極との間に設けられた液晶層を有する表示パネルと、表示パネルの背面側に設けられたバックライトとを有する液晶表示装置において、走査線を走査しながらデータ線から複数の画素電極に表示データに対応する表示電圧を印加するパネル駆動を行う駆動制御回路を有し、駆動制御回路は、表示データが入力されるフレーム周波数Ｆに対して，バックライトを点滅する周波数ｆが、Ｆ＜ｆ＜２Ｆで且つｆ＝Ｆ×（Ｎ＋１）／Ｎとなるように、バックライトの点滅を制御し、バックライトの点灯周期をできるだけフレーム周期に一致させて、動画の画質を高くすることができ、一方で、バックライトの点灯周波数をフレーム周波数よりも高くして、人間の目が感じるフリッカを抑制することができる。【選択図】    図１
2006330311.tif 000002
【特許請求の範囲】
【請求項１】
複数の走査線と複数のデータ線とその交差部に配置された複数の画素電極とを有し，さらに画素電極とその対向電極との間に設けられた液晶層を有する表示パネルと，
表示パネルの背面側に設けられたバックライトとを有する液晶表示装置において，
前記走査線を走査しながらデータ線から前記複数の画素電極に表示データに対応する表示電圧を印加するパネル駆動を行う駆動制御回路を有し，
前記駆動制御回路は，前記表示データが入力されるフレーム周波数Ｆに対して，前記バックライトを点滅する周波数ｆが，Ｆ＜ｆ＜２Ｆで且つｆ＝Ｆ×（Ｎ＋１）／Ｎ（Ｎは正の整数）となるように，前記バックライトの点滅を制御することを特徴とする液晶表示装置。
【請求項２】
請求項１において，前記駆動制御回路は，Ｎ＝４とし，４フレーム期間の間に５回バックライトを点灯するよう点滅制御を行うことを特徴とする液晶表示装置。
【請求項３】
請求項１において，前記駆動制御回路は，Ｎフレーム群に対して与えられるＮ＋１個の点灯パルス群のうち，当該点灯パルス群の先頭からＮ番目の点灯パルスのパルス幅又はパルス振幅を，他の点灯パルスのそれよりも小さくすることを特徴とする液晶表示装置。
【請求項４】
請求項１において，前記駆動制御回路は，Ｎフレーム群に対して与えられるＮ＋１個の点灯パルス群のうち，当該点灯パルス群の先頭からＮ番目の点灯パルスを，フレーム周期より長い所定の周期毎に発生させずそのバックライトの点灯を行わないことを特徴とする液晶表示装置。
【請求項５】
請求項１において，前記駆動制御回路は，バックライトの点滅制御する点灯パルス幅を調光レベルに応じて変調する調光手段を有することを特徴とする液晶表示装置。
【請求項６】
請求項１において，前記バックライトは，表示パネル上で所定数の走査線毎に複数領域に分割され，前記駆動制御回路は，当該分割されたバックライト領域を，それぞれ対応する所定数の走査線のフレーム位相に対応させて，それぞれ点滅駆動制御を行うことを特徴とする液晶表示装置。
【請求項７】
複数の走査線と複数のデータ線とその交差部に配置された複数の画素電極とを有し，さらに画素電極とその対向電極との間に設けられた液晶層を有する表示パネルと，
表示パネルの背面側に設けられたバックライトとを有する液晶表示装置において，
前記走査線を走査しながらデータ線から前記複数の画素電極に表示データに対応する表示電圧を印加するパネル駆動を行う駆動制御回路を有し，
当該駆動制御回路は，前記パネル駆動を前記表示データが入力されるフレーム周波数Ｆの２倍速で行い，当該フレーム周波数Ｆに対して，前記バックライトを点滅する周波数ｆが，Ｆ＜ｆ＜２Ｆで且つｆ＝Ｆ×（Ｎ＋１）／Ｎとなるように，前記バックライトの点滅を制御し，さらに，バックライトの点灯期間が，フレーム期間内の後半のパネル駆動期間で発生する確率が前半のパネル駆動期間で発生する確率よりも高くなるよう制御されることを特徴とする液晶表示装置。
【請求項８】
請求項７において，前記駆動制御回路は，前記前半のパネル駆動において，そのフレームの表示データと前フレームの表示データに基づいて求められた補間データに対応する電圧を印加し，前記後半のパネル駆動において，そのフレームの表示データに対応する電圧を印加することを特徴とする液晶表示装置。
【請求項９】
請求項７において，前記駆動制御回路は，前記前半のパネル駆動において，そのフレームの表示データと前フレームの表示データに基づいて求められたオーバードライブデータに対応する電圧を印加し，前記後半のパネル駆動において，そのフレームの表示データに対応する電圧を印加することを特徴とする液晶表示装置。
【発明の詳細な説明】
【技術分野】
【０００１】
本発明は，液晶表示装置に関し，特に，動画の画質を向上すると共にフリッカを低下させた液晶表示装置に関する。
【背景技術】
【０００２】
液晶表示装置は，水平方向に延びる複数の走査線と，垂直方向に延びるデータ線と，それらの交差位置に配置されたＴＦＴからなるスイッチと，当該スイッチに接続された画素電極と，画素電極に対向して設けられた共通電極と，画素電極及び共通電極の間に配置された液晶層とで構成される。そして，フレーム期間内で走査線を走査しながらＴＦＴを導通させ，データ線から各画素に印加する電圧を供給して各画素電極に画像データに対応する電圧を印加し，液晶層とその前後に設けた偏光板からなるパネルの透過率を変更させる。パネルの背面にはバックライトが設けられ，バックライトからの光がパネルの透過率に応じて表示側に透過することで，所望の輝度階調値を表示する。
【０００３】
液晶表示装置の液晶分子は印加電圧に対する応答性が遅く且つフレーム期間において各画素の輝度が一定に保たれるホールド型であるため，常時バックライトを点灯しておくと動画の動きがぼけて画質劣化を招く。そのため，画像信号の垂直同期信号に同期して表示期間をフレーム期間内の一定期間に制限することが提案されている。たとえば，以下の特許文献１。
【０００４】
さらに，以下の特許文献２，３，４，５には，バックライトを表示領域の複数領域に分割し，フレーム期間に同期して順次バックライトを間欠点灯させて，表示期間をフレーム期間内の一定期間に制限することも提案されている。
【０００５】
また，特許文献６によれば，バックライトの点灯と消灯とを繰り返すことで，点灯と消灯のデューティ比を変化させてパルス幅変調による調光を行う場合，複数のフレーム期間の間に奇数回の点灯をフレーム周波数より高い周波数で行うことで，調光によるフリッカの発生を抑える液晶表示装置が提案されている。この特許文献６では，パネルの表示駆動周波数（フレーム周波数）Ｆに対して，ＰＷＭ調光の調光周波数ｆがｆ＝ｍ＊Ｆ／ｎ（ｎは２より大の整数，ｍ＞ｎ，且つｍ≠２ｎ）の関係を持つようにすることが記載されている。
【特許文献１】特開平９−３２５７１５号公報
【特許文献２】特開平１１−２０２２８５号公報
【特許文献３】特開平１１−２０２２８６号公報
【特許文献４】特開２０００−３２１５５１号公報
【特許文献５】特開２００１−１２５０６６号公報
【特許文献６】特許３０２７２９８号公報
【発明の開示】
【発明が解決しようとする課題】
【０００６】
上記の特許文献１〜５では，動画の画質向上のためにパネルの駆動周波数（フレーム周波数）である６０Hzでバックライトを点滅している。そのため，バックライトの点滅が人間の目にフリッカとして感じられることになる。つまり，バックライトの点滅周波数が６０Hz程度と低いと，人間の目にはフリッカを感じるのである。このように，動画の画質向上のためのバックライトの点滅とフリッカ抑制とは，相反する技術的課題である。
【０００７】
一方，特許文献６では，調光のためのバックライトの点滅周波数が６０×５／２＝１５０Hzと非常に高くフリッカを感じることはないが，パネルの駆動周波数とは同期していないので，動画の画質を高くすることはできない。
【０００８】
そこで，本発明の目的は，動画の画質を向上させつつフリッカを抑制した液晶表示装置を提供することにある。
【課題を解決するための手段】
【０００９】
上記の目的を達成するために，本発明の第１の側面によれば，複数の走査線と複数のデータ線とその交差部に配置された複数の画素電極とを有し，さらに画素電極とその対向電極との間に設けられた液晶層を有する表示パネルと，表示パネルの背面側に設けられたバックライトとを有する液晶表示装置において，前記走査線を走査しながらデータ線から前記複数の画素電極に表示データに対応する表示電圧を印加するパネル駆動を行う駆動制御回路を有し，駆動制御回路は，前記表示データが入力されるフレーム周波数Ｆに対して，前記バックライトを点滅する周波数ｆが，Ｆ＜ｆ＜２Ｆで且つｆ＝Ｆ×（Ｎ＋１）／Ｎ（Ｎは正の整数）となるように，前記バックライトの点滅を制御する。
【００１０】
上記の第１の側面によれば，例えばＮ＝４とすると，４フレーム期間の間に５回バックライトを点灯するよう点滅制御を行うことになり，バックライトの点灯周期をできるだけフレーム周期に一致させて，動画の画質を高くすることができる。一方で，バックライトの点灯周波数をフレーム周波数の６０Ｈｚよりも２０％高い７５Ｈｚにして，人間の目が感じるフリッカを抑制することができる。人間の目には，最低で７０〜７５Ｈｚ以上の点滅であれば，フリッカを感じることがなくなるからである。
【００１１】
上記の第１の側面において，好ましい態様によれば，Ｎフレーム群に対して与えられるＮ＋１個の点灯パルス群のうち，当該点灯パルス群の先頭からＮ番目の点灯パルスのパルス幅又はパルス振幅を，他の点灯パルスのそれよりも小さくする。これにより，隣接する２つのフレーム期間にまたがるＮ番目の点灯パルスによる点灯輝度を低くして，動画の画質低下を抑えることができる。
【００１２】
上記の第１の側面において，好ましい態様によれば，Ｎフレーム群に対して与えられるＮ＋１個の点灯パルス群のうち，当該点灯パルス群の先頭からＮ番目の点灯パルスを，フレーム周期より長い所定の周期（例えば１秒程度）毎に発生させずそのバックライトの点灯を行わない。これにより，隣接する２つのフレーム期間にまたがるＮ番目の点灯パルスによる点灯回数を減らしてＮ番目の点灯パルスによる平均輝度を低くし，動画の画質低下を抑えることができる。
【００１３】
上記の第１の側面において，好ましい態様によれば，前記駆動制御回路は，バックライトの点滅制御する点灯パルス幅を調光レベルに応じて変調する調光手段を有する。これによれば，調光機能を実現し，調光のためのパルス幅変調の点灯パルス周波数をフレーム周波数Ｆよりも高くすることができ，それによるフリッカを抑制することができる。
【００１４】
上記の第１の側面において，好ましい態様によれば，前記バックライトは，表示パネル上で所定数の走査線毎に複数領域に分割され，前記駆動制御回路は，当該分割されたバックライト領域を，それぞれ対応する所定数の走査線のフレーム位相に対応させて，それぞれ点滅駆動制御を行う。これにより，所定数の走査線毎の複数領域それぞれのフレーム位相に対応して，バックライト領域を点滅制御することができ，動画の画質をより高くすることができる。
【００１５】
上記の目的を達成するために，本発明の第２の側面によれば，複数の走査線と複数のデータ線とその交差部に配置された複数の画素電極とを有し，さらに画素電極とその対向電極との間に設けられた液晶層を有する表示パネルと，表示パネルの背面側に設けられたバックライトとを有する液晶表示装置において，前記走査線を走査しながらデータ線から前記複数の画素電極に表示データに対応する表示電圧を印加するパネル駆動を行う駆動制御回路を有し，当該駆動制御回路は，前記パネル駆動を前記表示データが入力されるフレーム周波数Ｆの２倍速で行い，当該フレーム周波数Ｆに対して，前記バックライトを点滅する周波数ｆが，Ｆ＜ｆ＜２Ｆで且つｆ＝Ｆ×（Ｎ＋１）／Ｎとなるように，前記バックライトの点滅を制御する。そして，バックライトの点灯期間が，フレーム期間内の後半のパネル駆動期間で発生する確率が前半のパネル駆動期間で発生する確率よりも高くなるよう制御される。
【００１６】
上記第２の側面によれば，倍速駆動に対して，液晶層の液晶分子が安定状態になる後半のパネル駆動期間でバックライトの点灯がより多く行われるので，動画の画質を向上させることができる。また，バックライトの点滅周波数がフレーム周波数より高いので，フリッカを抑制することができる。
【００１７】
上記の第２の側面において，好ましい態様によれば，前記駆動制御回路は，前記前半のパネル駆動において，そのフレームの表示データと前フレームの表示データに基づいて求められた補間データに対応する電圧を印加し，前記後半のパネル駆動において，そのフレームの表示データに対応する電圧を印加する。
【００１８】
上記の第２の側面において，好ましい態様によれば，前記駆動制御回路は，前記前半のパネル駆動において，そのフレームの表示データと前フレームの表示データに基づいて求められたオーバードライブデータに対応する電圧を印加し，前記後半のパネル駆動において，そのフレームの表示データに対応する電圧を印加する。
【発明の効果】
【００１９】
本発明によれば，バックライトの点灯を可能な限りフレーム周期に同期させているので，動画の画質を向上させることができると共に，バックライトの点滅周波数がフレーム周波数よりも高くなっており，フリッカが感じられない程度の高い周波数で点滅し，フリッカを抑制することができる。
【発明を実施するための最良の形態】
【００２０】
以下，図面にしたがって本発明の実施の形態について説明する。但し，本発明の技術的範囲はこれらの実施の形態に限定されず，特許請求の範囲に記載された事項とその均等物まで及ぶものである。
【００２１】
図１は，本実施の形態における液晶表示装置の全体構成図である。表示パネルＰＡは，複数（Ｌ本）の走査線ＳＣと，それに交差する複数のデータ線Ｄと，それらの交差位置に配置される薄膜トランジスタＴＦＴからなるスイッチと，それに接続される画素電極ＰＸと，画素電極ＰＸとそれに対向する共通電極ＣＭとの間に設けられた液晶層ＬＣとを有する。また，表示パネルＰＡには，図示しない偏光板が設けられている。そして，表示パネルの背面側にはバックライトＢＬが設けられている。バックライトＢＬは，所定の走査線本数毎に複数の領域ＢＬ１〜ＢＬ４に分割され，それぞれ対応するＢＬ電源Ｐ１〜Ｐ４からの点灯パルスにより点灯制御される。
【００２２】
走査線ＳＣは走査線ドライバＳＤＲにより駆動され，データ線Ｄにはデータドライバから表示データに対応する電圧が印加される。走査線ＳＣはトランジスタＴＦＴのゲート電極を兼ねており，走査線が駆動されるとトランジスタが導通し，データ線に印加された電圧が画素電極ＰＸに印加される。このデータ電圧の印加に応答して，液晶層ＬＣ内の液晶分子の配向状態が変化しまたは傾きが変化し，偏光板を有する表示パネルの光透過率が変化する。その状態で，バックライトが点灯するとその光が表示パネルの光透過率に応じた光量で表示側に透過し，表示データに対応する表示輝度が再現される。
【００２３】
液晶表示装置には駆動制御回路１０が設けられ，駆動制御回路１０はフレーム周期に同期して表示データと同期信号とを入力する。駆動制御回路１０は，走査線ドライバを制御する走査線制御部１２と，線順次で与えられる表示データに対して所定の画像処理を行って走査線毎の表示データに変換する表示データ変換手段１４と，バックライトの電源Ｐ１〜Ｐ４を制御するバックライト制御部１６とを有する。
【００２４】
［第１の実施の形態］
図２は，第１の実施の形態における駆動タイミングを示す図である。図２には，Ｌ本の走査線のうち４つの領域の先頭走査線（１番目，Ｌ／４番目，２Ｌ／４番目，３Ｌ／４番目）の信号と，４つの発光領域（バックライト領域）の輝度変化が示されている。発光領域の輝度変化は，４つのバックライト発光領域の駆動パルスを間接的に示す。第１の実施の形態では，フレーム周期ＦFLに対してバックライトの点灯周期ｆBLが，ｆBL＝ＦFL×（Ｎ＋１）／Ｎ（Ｎは正の整数）で且つＦFL＜ｆBL＜２ＦFLになるよう制御される。そして，図２には，Ｎ＝４の例が示されている。
【００２５】
つまり，４（＝Ｎ）つのフレーム期間ＦＬ１〜ＦＬ４からなるフレーム群の期間４ＦＬで，バックライトが５（＝Ｎ＋１）回点灯制御される。その結果，バックライトの５回の点灯のうち，１，２，３，５回目の点灯はそれぞれ４つのフレーム期間ＦＬ１〜ＦＬ４のタイミングに対応し，唯一例外として，４回目の点灯だけが２つのフレーム期間ＦＬ４，ＦＬ５をまたいで行われる。つまり，４回目のバックライト点灯を除くと，フレーム周期に同期してバックライトが点灯するので，動画の画質を向上させることができる。それとともに，バックライトの点灯周波数がフレーム周波数の６０Ｈｚの５／４倍の７５Ｈｚになっている。この７５Ｈｚの点滅周波数は，人間の目がフリッカを感じない最小周波数（７０〜７５Ｈｚ）以上であるので，このバックライト点滅制御であれば，フリッカの発生を抑えることができている。
【００２６】
図１に示したとおり，バックライトの発光領域が４つに分割されている。それに伴って，発光領域ＢＬ１に対しては，１番走査線のフレーム位相に対応して点灯パルスの位相が制御される。その場合，フレーム周波数に対して４：５の点灯周波数の点灯パルスとなる。同様に，Ｌ／４番走査線のフレーム位相に対応して発光領域ＢＬ２での点灯パルスの位相制御が行われ，２Ｌ／４番走査線のフレーム位相に対応して発光領域ＢＬ３での点灯パルスの位相制御が行われ，３Ｌ／４番走査線のフレーム位相に対応して発光領域ＢＬ４での点灯パルスの位相制御が行われる。この場合もそれぞれの点灯周波数は，フレーム周波数に対して４：５の関係になっている。
【００２７】
フレーム周波数ＦFLに対するバックライト点灯周波数ｆBLの比は，Ｎ：Ｎ＋１となるが，整数Ｎが５と大きくなるとバックライトの点灯周波数がフレーム周波数の６０Ｈｚに近づくので，フリッカの抑制が不十分になる。一方，整数Ｎが４より小さくなると，動画の画質に適していないＮ番目の点灯パルスの発生頻度が高くなり，その点でも好ましくない。したがって，整数Ｎ＝４程度が最適な値である。または，Ｎ＝３，５であってもある程度はフリッカが抑えられ動画の画質を高めることができる。
【００２８】
図３は，従来のバックライト駆動と本実施の形態のバックライト駆動との比較を示す図である。この図では，表示画面内を時間の経過と共に右側に移動する画像の横方向の位置（横軸）を時間軸（縦軸）に対応させて示している。また，時間軸方向にフレーム期間ＦＬ１〜ＦＬ４が示され，バックライト点灯パルスＢＬｐが示されている。
【００２９】
左側に示された従来の方法（Ａ）では，フレーム期間ＦＬ１〜ＦＬ４に完全に同期してバックライト点灯パルスＢＬｐが生成されているので，各フレーム期間でそれぞれ一回だけバックライトが点灯する。それに伴って，右側に移動する画像の位置もフレーム期間に対応して一定速度で移動している。それに対して，右側に示した本実施の形態（Ｂ）によれば，４フレーム期間ＦＬ１〜ＦＬ４に対して５つのバックライト点灯パルスＢＬｐが生成される。１，２，３，５番目の点灯パルスはそれぞれフレーム期間ＦＬ１〜ＦＬ４に対応して発生しているが，４番目の点灯パルスはフレーム期間ＦＬ３，４をまたいで発生しており，両フレーム期間ＦＬ３，４の動画像を点灯してしまう。このような動画像は，いわゆるぼけた画像として表示され，動画像の画質を低下させる原因となる。本実施の形態では，４番目の点灯パルスは５回に１回しか発生しないので，全点灯パルスによる動画像に対する影響はそれほど大きくないものの，可能であれば４番目の点灯パルスの動画像表示は他の点灯パルスの動画像表示よりも影響を小さくすることが望まれる。
【００３０】
図４は，第１の実施の形態における変形例を示す図である。この変形例でも，４フレーム期間４ＦＬの間に５回の点灯を行っている。そして，この変形例では，図３で説明した動画像の画質低下を防止するために，４フレーム期間群４ＦＬ内の４番目の点灯パルス幅を他の点灯パルス幅よりも狭くして，４番目の点灯輝度を他の点灯輝度よりも低くしている。つまり，図４内の輝度変化の信号において，同じ点灯パルス幅の場合の破線が実線のように改良されている。この点灯パルス幅は，他のパルス幅の約８５％程度にするのが望ましい。たとえば，他の点灯パルス幅が５．３msecであるのに対して，４番目の点灯パルス幅を４．６msec程度にする。この程度であれば，フリッカが目立つことなく動画像の画質低下を抑制することができる。その場合，（１）点灯パルスの後端を早めて先頭は他の点灯パルスと等間隔にする，（２）点灯パルスの先頭を遅くして後端は他の点灯パルスと等間隔にする，（３）点灯パルスの中央を他の点灯パルスと等間隔にし先頭を遅くし後端を早める，のいずれでも良い。いずれの制御でも，４番目の点灯パルス幅が狭くなり，点灯時間が短くなることで，動画像の画質低下を抑制することができる。
【００３１】
図５は，第１の実施の形態における別の変形例を示す図である。この変形例でも，４フレーム期間４ＦＬの間に５回の点灯を行っている。そして，この変形例では，図３で説明した動画像の画質低下を防止するために，４フレーム期間群４ＦＬ内の４番目の点灯パルスの振幅を他の点灯パルスの振幅よりも低くして，４番目の点灯輝度を他の点灯輝度よりも低くしている。つまり，図５内の輝度変化の信号において，同じ点灯パルス振幅の場合の破線が実線のように改良されている。この点灯パルス振幅は，他の点灯パルス振幅の約９０％程度にするのが望ましい。例えば他の点灯パルスが７．０mAで駆動され，４番目の点灯パルスが５．９mAで駆動される。この程度であれば，フリッカが目立つことなく動画像の画質低下を抑制することができる。
【００３２】
図６は，第１の実施の形態における更に別の変形例を示す図である。この変形例では，液晶表示装置に調光機能が設けられている。つまり，外部から表示パネルの明るさを調節する調光スイッチ２２が設けられ，その調光スイッチからの制御に応答して，調光制御部２０が駆動制御回路１０からのバックライトの点灯パルスをパルス幅変調して，そのデューティ比を可変制御する。可変制御された点灯パルス信号がバックライト電源Ｐ１〜Ｐ４に与えられ，分割された点灯領域を点灯駆動する。たとえば，点灯パルス信号の先頭エッジを遅くすることでデューティ比を低下させて表示パネルＰＡの輝度を低下させることができる。先頭エッジを遅くすることで，点灯期間をできるだけフレーム期間の後半側に発生させることができ，より液晶分子が安定した状態を点灯することができる。
【００３３】
この変形例においても，４フレーム期間４ＦＬの間に５回の点灯を行う。但し，各点灯パルス幅は，調光スイッチ２２からの調光制御に応じて可変制御される。したがって，フレーム周期にできるだけ同期してバックライトが点灯されるので，動画の画質向上を行うことができる。さらに，パルス幅変調による調光機能を有するもののその点灯パルスの周波数がフレーム周波数である６０Ｈｚよりも２０％程度高い７５Ｈｚに制御されているので，人間の目にはフリッカを感じることがあまりない。
【００３４】
第１の実施の形態におけるさらなる別の変形例では，約１秒毎にバックライトの点灯パルスのうち４番目の点灯パルスを間引くようにバックライトの点灯制御を行う。つまり，図３で説明した動画像の画質低下を防止するために，４フレーム期間群４ＦＬ内の４番目の点灯パルスを約１秒毎に発生させず，他の点灯パルスによる輝度よりも点灯輝度を低くしている。つまり，１秒間に１，２，３，５番目の点灯パルスは１５回発生するが，４番目の点灯パルスは１４回しか発生しない。そのため，４番目の点灯パルスによる時間軸空間内の平均輝度が他の点灯パルスよりも低くすることができ，動画の画質低下を抑制することができる。また，４番目の点灯パルスを間引いた直後に１番目の点灯パルスをフレーム周期と一致するようリセットすることが望ましい。
【００３５】
［第２の実施の形態］
第２の実施の形態では，液晶の応答性を改善するために２倍速駆動する場合に，動画の画質を向上してフリッカを抑制する。液晶分子が電圧印加に応答してその電圧に対応した位置に変化するためにはある程度の時間を要する。特に，前フレームと現フレームの表示階調が大きく異なる場合は，その遅延時間はより長くなる。この応答性の悪さが動画の画質低下にも影響している。
【００３６】
そこで，液晶表示装置では，１つのフレーム期間において，パネル駆動を２回行う倍速駆動が提案されている。例えば，フレーム期間の前半で前フレームの表示データと現フレームの表示データの補間値（例えば中間値）の電圧で駆動し，フレーム期間の後半で現フレームの表示データの電圧で駆動する方法，フレーム期間の前半でオーバードライブ電圧で駆動して液晶分子を高速に変化させ，フレーム期間の後半で現フレームの表示データに対応する電圧で駆動して液晶分子を安定化させる方法などである。オーバードライブ電圧とは，印加電圧が高くなる方向に変化する場合は，対応フレームの電圧よりも高い電圧であり，印加電圧が低くなる方向に変化する場合は，対応フレームの電圧よりも低い電圧である。
【００３７】
図７は，上記の補間値で駆動する場合の駆動タイミング図である。図中，１番走査線信号は，フレーム期間ＦＬ１の前半１１Ａで走査され，後半１１Ｂで再度走査される。その後のフレーム期間ＦＬ２，ＦＬ３，ＦＬ４でも前半１２Ａ，１３Ａ，１４Ａで走査され，後半１２Ｂ，１３Ｂ，１４Ｂで再度走査される。図中には，それぞれのフレーム期間ＦＬ１〜Ｆｌ４での１番走査線上の画素に対する入力階調信号が示されているが，実際に画素に印加される画素階調信号（回路出力）は，フレーム期間の前半では前フレームの入力階調信号と現フレームの入力階調信号の平均値（補間値）となり，フレーム期間の後半では現フレームの入力階調信号となる。このように駆動することで，動画での像の動きがなめらかになる。但し，補間値で駆動した期間は，入力階調信号とは異なるので色味に違和感があるので，バックライトの点灯は，図中の輝度変化として示されるとおり，フレーム期間の後半に限定されるのが好ましい。
【００３８】
図８は，上記のオーバードライブで駆動する場合の駆動タイミング図である。この場合も，図７と同様にフレーム周期の半分の期間で走査線が走査される倍速駆動である。そして，１番走査線を例にとると，フレーム期間の前半１１Ａ，１２Ａ，１３Ａ，１４Ａでは，画素入力階調信号よりもオーバードライブされた画素階調信号（回路出力）の電圧で画素が駆動され，フレーム期間の後半１１Ｂ，１２Ｂ，１３Ｂ，１４Ｂでは，現フレームの画素入力階調信号に対応する電圧で画素が駆動される。このようなオーバードライブにより，液晶分子の応答を早くして，動画の変化をフレーム周期に追従できるようにする。この場合，オーバードライブ中の期間では液晶が変化途中にあるので，入力階調信号とは異なる階調値になる。よって，バックライトの点灯は，図中の輝度変化に示されるとおり，フレーム期間の後半に限定されるのが好ましい。
【００３９】
図７，図８に示されるとおり，２倍速駆動する場合，より液晶分子が安定しているフレーム期間の後半でバックライトを点灯することが好ましい。しかし，それでは，バックライトの点灯周期がフレーム周期と一致してバックライトの点灯周波数が６０Ｈｚ程度となり，フリッカが発生してしまう。そこで，第２の実施の形態では，２倍速駆動する場合でも，バックライトの点灯周波数を７５Ｈｚ程度とフリッカが感じられない範囲の最小周波数にする。そのため，第１の実施の形態と同様に，４フレーム期間に５回の点灯パルスを発生させる。ただし，バックライトの点灯期間は，フレーム期間の前半よりも後半により偏るように（確率的に５０％を超えるように）制御する。
【００４０】
上記の実施の形態で，パネルをフレーム周波数（６０Ｈｚ）の２倍速で駆動しながら，バックライトの点灯周波数を７５Ｈｚにしている。したがって，フレーム周波数と点灯周波数とは両周波数の最小公倍数周期毎に所定のタイミングの組合せで繰り返されることが理解できる。その場合，そのタイミングの組合せが，バックライトの点灯期間がフレーム期間の前半よりも後半に偏るようなものを選択する。それにより，パネルの液晶分子が安定しているフレーム期間の後半の状態をバックライトがより長く照らすことができる。
【００４１】
図９は，第２の実施の形態における駆動タイミングを示す図である。図９も図７，８と同様にフレーム周期の２倍速でパネル駆動が行われている。そして，フレーム周波数６０Ｈｚに対してバックライトの点灯周波数を７５Ｈｚに設定して，フリッカの発生を抑制している。つまり，バックライトの点灯期間を，図中に輝度変化信号として示されるように制御している。そして，その点灯期間が，概ね，フレーム期間の前半期間よりも後半期間になるようにバックライトの点灯パルスの位相を制御している。このようにすることで，液晶分子がより安定状態にあり入力階調信号（表示データ）に対応する状態あるフレームの後半期間でバックライトが点灯して動画の画質が向上するようにしている。なお，フレームの前半期間ではできるだけバックライトが消灯しているようにする。第２の実施の形態では，バックライトの点灯領域はパネル内で共通に一つであるが，複数領域に分割しても良い。
【００４２】
第２の実施の形態では，バックライトを７５Ｈｚの周波数で点灯制御し，一方で入力表示データが６０Ｈｚの周波数で与えられてその倍速で駆動されるので，点灯パルスの位相が表示パネル内の画素への書き込み位相と徐々にずれていく。そこで，両者の位相を合わせるために，約２秒の周期で点灯パルスタイミングの位相をリセットして書き込み位相と一致させるようにする。具体的には，表示パネル内の走査線数Ｌに対して，Ｌ×（１２０＋３／４）本目の走査が終了した時点で，点灯パルスのタイミングをリセットして書き込みタイミングの位相（フレームの２倍速の位相）と位相差をゼロにする。
【００４３】
以上の通り，第２の実施の形態では，パネルが倍速駆動される場合において，フリッカを抑制し動画の画質を高めることができる。
【図面の簡単な説明】
【００４４】
【図１】本実施の形態における液晶表示装置の全体構成図である。
【図２】第１の実施の形態における駆動タイミングを示す図である。
【図３】従来のバックライト駆動と本実施の形態のバックライト駆動との比較を示す図である。
【図４】第１の実施の形態における変形例を示す図である。
【図５】第１の実施の形態における別の変形例を示す図である。
【図６】第１の実施の形態における更に別の変形例を示す図である。
【図７】補間値で駆動する場合の駆動タイミング図である。
【図８】オーバードライブで駆動する場合の駆動タイミング図である。
【図９】第２の実施の形態における駆動タイミングを示す図である。
【符号の説明】
【００４５】
１０：駆動制御回路              ＳＣ：走査線              Ｄ：データ線
ＴＦＴ：スイッチトランジスタ    ＰＸ：画素                ＬＣ：液晶層
ＰＡ：表示パネル                ＢＬ：バックライト
【図１】
2006330311.tif 000003
【図２】
2006330311.tif 000004
【図３】
2006330311.tif 000005
【図４】
2006330311.tif 000006
【図５】
2006330311.tif 000007
【図６】
2006330311.tif 000008
【図７】
2006330311.tif 000009
【図８】
2006330311.tif 000010
【図９】
2006330311.tif 000011